(57)【要約】【課題】起動装置にアドレスが設定されていない場合であっても、制御装置と起動装置との間で正常に通信できるようにする。【解決手段】ガス消火システム１００は、消火区域において消火用のガスを放出する動作を起動する操作を受ける一以上の起動装置４と、ガスの放出を制御する制御装置１と、を備え、制御装置１は、複数種類の第一種通知情報を、一つの通信線を介して一以上の起動装置４に送信するマスター通信部１５を有し、起動装置４は、マスター通信部１５から第一種通知情報を受信した場合に、上記の通信線を介して応答パルス信号を送信するスレーブ通信部４４を有する。【選択図】図１
2018164652.tif 000002
【特許請求の範囲】
【請求項１】
消火区域において消火用の消火剤を放出する動作を起動する操作を受ける一以上の起動装置と、前記消火剤の放出を制御する制御装置と、を有する消火システムであって、
前記制御装置は、複数種類の第一種通知情報を、一つの通信線を介して前記一以上の起動装置に送信するマスター通信部を有し、
前記起動装置は、前記マスター通信部から前記第一種通知情報を受信した場合に、前記通信線を介して応答パルス信号を送信するスレーブ通信部を有する、
消火システム。
【請求項２】
前記スレーブ通信部は、自身の設定モードが前記マスター通信部から受信した前記第一種通知情報に対応するモードになっている場合に、前記応答パルス信号を送信し、前記設定モードが前記マスター通信部から受信した前記第一種通知情報に対応するモードになっていない場合に、前記応答パルス信号を送信しない、
請求項１に記載の消火システム。
【請求項３】
前記スレーブ通信部は、自身の前記設定モードの状態が変化した後に、前記マスター通信部から受信した前記第一種通知情報が、変化後の前記設定モードと同一であることを条件として、前記応答パルス信号を送信する、
請求項２に記載の消火システム。
【請求項４】
前記制御装置は、複数の異なる前記設定モードに対応する複数の前記第一種通知情報のそれぞれに対して、複数の前記起動装置から前記応答パルス信号を受信した場合に、前記複数の起動装置が異なる前記設定モードに設定されていると判定する制御部をさらに有する、
請求項２又は３に記載の消火システム。
【請求項５】
前記制御部は、前記複数の起動装置が異なる前記設定モードに設定されていると判定した場合に、前記複数の起動装置の設定モードを前記複数の設定モードのいずれか一つに設定されるための前記第一種通知情報を前記複数の起動装置に送信する、
請求項４に記載の消火システム。
【請求項６】
前記マスター通信部は、前記第一種通知情報と異なる一以上の第二種通知情報を、前記一以上の第二種通知情報それぞれに対応する一以上の信号線を介して前記一以上の起動装置に通知する、
請求項１から５のいずれか一項に記載の消火システム。
【請求項７】
前記マスター通信部は、前記第一種通知情報を含むシリアルデータを前記一以上の起動装置に送信し、かつ前記第二種通知情報に対応する前記信号線の電圧を監視し、電圧の変化があったことに基づいて、前記第二種通知情報を受信する、
請求項６に記載の消火システム。
【請求項８】
前記制御装置は、前記マスター通信部が異なる種類の複数の前記第一種通知情報を送信してから所定の時間以内に前記複数の第一種通知情報に応じて受信した前記応答パルス信号の合計数が、前記一以上の起動装置の数と一致した場合に、前記第一種通知情報が正常に送信できたと判定する判定部をさらに有する、
請求項１から７のいずれか一項に記載の消火システム。
【請求項９】
前記一以上の起動装置のそれぞれが有する前記スレーブ通信部は、前記第一種通知情報を受信してからランダムな時間が経過した後に前記応答パルス信号を送信する、
請求項１から８のいずれか一項に記載の消火システム。
【発明の詳細な説明】
【技術分野】
【０００１】
本発明は、消火剤を放出することにより消火する消火システムに関する。
【背景技術】
【０００２】
消火剤を放出することにより消火する消火システムは、消火剤の放出を制御する制御装置と、消火剤の放出を起動する起動装置とから構成されている。制御装置と起動装置との間では、複数の信号線を介して、各種の情報がやり取りされる。特許文献１には、制御装置と起動装置との間でシリアル通信線を用いてデータを送受信することで、通信線の数を少なくする消火システムが開示されている。
【先行技術文献】
【特許文献】
【０００３】
【特許文献１】特開２０１５−１３９６５８号公報
【発明の概要】
【発明が解決しようとする課題】
【０００４】
特許文献１に記載された消火システムにおいては、複数の起動装置のそれぞれにアドレスが設定され、制御装置は、シリアル通信線を用いて起動装置にデータを送信する場合、送信先のアドレスを含むデータを送信する必要があった。しかしながら、従来は、制御装置と起動装置との間でシリアル通信線が用いられるようになる前は、起動装置にアドレスを設定する必要がなかった。
【０００５】
したがって、シリアル通信線が用いられる消火システムを設置する際に、工事担当者が起動装置にアドレスを設定する作業を実施することは、作業の煩雑化、及び効率の低下を招く場合があった。この場合、起動装置にアドレスが設定されていないため、起動装置は、制御装置が送信したデータを正常に受信できないという問題があった。
【０００６】
そこで、本発明はこれらの点に鑑みてなされたものであり、起動装置にアドレスが設定されていない場合であっても、制御装置と起動装置との間で正常にシリアル通信が可能になる消火システムを提供することを目的とする。
【課題を解決するための手段】
【０００７】
本発明の消火システムは、消火区域において消火用の消火剤を放出する動作を起動する操作を受ける一以上の起動装置と、前記消火剤の放出を制御する制御装置と、を有する消火システムであって、前記制御装置は、複数種類の第一種通知情報を、一つの通信線を介して前記一以上の起動装置に送信するマスター通信部を有し、前記起動装置は、前記マスター通信部から前記第一種通知情報を受信した場合に、前記通信線を介して応答パルス信号を送信するスレーブ通信部を有する。
【０００８】
前記スレーブ通信部は、例えば、自身の設定モードが前記マスター通信部から受信した前記第一種通知情報に対応するモードになっている場合に、前記応答パルス信号を送信し、前記設定モードが前記マスター通信部から受信した前記第一種通知情報に対応するモードになっていない場合に、前記応答パルス信号を送信しない。
【０００９】
前記スレーブ通信部は、自身の前記設定モードの状態が変化した後に、前記マスター通信部から受信した前記第一種通知情報が、変化後の前記設定モードと同一であることを条件として、前記応答パルス信号を送信してもよい。
【００１０】
前記マスター通信部は、前記第一種通知情報と異なる一以上の第二種通知情報を、前記一以上の第二種通知情報それぞれに対応する一以上の信号線を介して前記一以上の起動装置に通知してもよい。
【００１１】
前記マスター通信部は、前記第一種通知情報を含むシリアルデータを前記一以上の起動装置に送信し、かつ前記第二種通知情報に対応する前記信号線の電圧を監視し、電圧の変化があったことに基づいて、前記第二種通知情報を受信してもよい。
【００１２】
前記制御装置は、前記マスター通信部が異なる種類の複数の前記第一種通知情報を送信してから所定の時間以内に前記複数の第一種通知情報に応じて受信した前記応答パルス信号の合計数が、前記一以上の起動装置の数と一致した場合に、前記第一種通知情報が正常に送信できたと判定する判定部をさらに有してもよい。
【００１３】
前記一以上の起動装置のそれぞれが有する前記スレーブ通信部は、前記第一種通知情報を受信してからランダムな時間が経過した後に前記応答パルス信号を送信してもよい。
【発明の効果】
【００１４】
本発明によれば、起動装置にアドレスが設定されていない場合であっても、制御装置と起動装置との間で正常に通信が可能になるという効果を奏する。
【図面の簡単な説明】
【００１５】
【図１】ガス消火システムの構成を示す図である。
【図２】制御装置と起動装置との間で各種の情報をやり取りするための信号線の一例を示す図である。
【図３】起動装置の構成を示す図である。
【図４】制御装置と複数の起動装置の間の通信シーケンスを示す図である。
【図５】複数の起動装置の設定モードが一致していない場合の制御装置と複数の起動装置との間の通信シーケンスを示す図である。
【発明を実施するための形態】
【００１６】
［ガス消火システム１００の概要］
図１は、本実施形態のガス消火システム１００の構成を示す図である。ガス消火システム１００は、制御装置１と、火災感知器２と、終端回路３と、起動装置４と、ガス放出装置５とを備える。ガス消火システム１００は、消火対象となる区域ごとに、一以上の火災感知器２、終端回路３、起動装置４及びガス放出装置５を有する。区域は、例えば、建物内の仕切られた部屋に対応するが、一つの区域に複数の部屋が含まれていてもよい。
【００１７】
制御装置１は、ガス消火システム１００の各種の動作を司る装置であり、例えば、火災が発生した区域に消火用のガスを放出するための制御を行う。火災感知器２は、区域内で火災が発生したことを検知するセンサーである。終端回路３は、センサーが接続された回路の終端部である。
【００１８】
起動装置４は、火災が発生した区域に消火用のガスを放出するための起動操作を受け付けるための装置であり、各区域の出入り口付近に設置されている。ガス放出装置５は、制御装置１の制御に基づいて、制御装置１により指定された区域に消火用のガスを放出する。
【００１９】
建物内の人（以下、ユーザという）が火災の発生に気付いた場合に、ユーザが起動装置４に設けられた起動ボタンを押すことにより、ガスの放出要求が制御装置１に通知される。制御装置１は、ガスの放出要求の通知を受けると、起動ボタンが押されてから所定の放出遅延時間（例えば、区域内の人が避難に要する時間）が経過するまで待機する。制御装置１は、放出遅延時間が経過した後に、起動ボタンが押された起動装置４が設置されている区域にガスを放出可能なガス放出装置５を制御して、起動ボタンが押された起動装置４に対応する区域に消火ガスを放出させる。
【００２０】
なお、消火ガスの放出動作は、ユーザが起動装置４の起動ボタンを押したことにより動作する手動モード、及び火災感知器２が火災を検知したことに応じて動作する自動モードの２つのモードがある。制御装置１を管理する管理者は、制御装置１の操作パネルにおいて、自動モードと手動モードとを切り替えることができる。また、ユーザが、起動装置４の操作パネルにおいて自動モードと手動モードとを切り替えることもできる。
【００２１】
［制御装置１と起動装置４との間の情報の送受信］
図２は、制御装置１と起動装置４との間で各種の情報をやり取りするための信号線の一例を示す図である。制御装置１及び起動装置４は、第１電源線、第２電源線、扉開信号線、起動信号線、緊急停止信号線、電話線及び通信線により接続されている。制御装置１と起動装置４との間では、通信線を介して伝達される第一種通知情報、及び通信線以外の線を介して伝達される第二種通知情報とが送受信される。
【００２２】
第１電源線は、起動装置４を動作させるための電力を供給するための線である。第２電源線は基準電圧を提供するための信号線であり、グランドに接続されている。扉開信号線、起動信号線及び緊急停止信号線のそれぞれは、起動装置４から制御装置１に対して伝達する重要度が高く、個別に伝達される第二種通知情報である扉開情報、起動情報及び緊急停止情報を伝達するための信号線である。起動装置４は、各信号線に接続された負荷を切り換えて各信号線の電圧を変化させることにより、各信号線に対応する情報を制御装置１に伝達する。
【００２３】
扉開情報は、起動装置４の操作扉が開かれたことを制御装置１に通知するための情報である。起動装置４は、扉開情報に割り当てられた扉開信号線の電圧を変化させることにより、操作扉が開かれたことを制御装置１に通知する。制御装置１は、扉開情報により操作扉が開かれたことを認識すると、外部スピーカーにより火災が発生したことを通報する。
【００２４】
起動情報は、起動装置４に設けられた放出起動ボタンを押す操作が行われたことを制御装置１に通知するための情報である。起動装置４は、起動情報に割り当てられた起動信号線の電圧を変化させることにより、放出起動ボタンが押されたことを制御装置１に通知する。制御装置１は、起動情報の通知を受けると、放出を開始するまでの時間である放出遅延時間をカウントし、放出遅延時間が経過するとガス放出装置５にガスを放出させる。
【００２５】
緊急停止情報は、起動装置４に設けられた緊急停止スイッチが操作されたことを制御装置１に通知するための情報である。起動装置４は、緊急停止情報に割り当てられた緊急停止信号線の電圧を変化させることにより、緊急停止ボタンが押されたことを制御装置１に通知する。制御装置１は、放出遅延時間をカウント中に緊急停止スイッチが操作された場合、ガスの放出を中止することができる。
【００２６】
電話線は、起動装置４を操作するユーザが制御装置１を管理する管理者又は警備員と通話する際に音声を伝送する信号線である。
通信線は、第二種通知情報以外の複数種類の第一種通知情報を含む複数のシリアルデータを送受信するための信号線である。制御装置１及び起動装置４は、例えば、自動切換情報、手動切換情報、起動表示情報、自動表示情報、手動表示情報、及び閉止弁閉表示情報のいずれかを含むシリアルデータを送受信する。
【００２７】
自動切換情報は、起動装置４のモードを自動モードに切り換えるように指示するための情報である。起動装置４は、自動切換情報を受信すると「自動灯」を点灯させる。手動切換情報は、起動装置４のモードを手動モードに切り換えるように指示するための情報である。起動装置４は、手動切換情報を受信すると「手動灯」を点灯させる。
【００２８】
起動表示情報は、放出遅延時間のカウントを開始した場合に制御装置１から起動装置４に通知される情報である。起動装置４は、起動表示情報を受信すると、「起動灯」を点灯するとともに、ガスが放出されるまでの時間を示す「放出遅延タイマー」のカウントダウン表示を行う。
【００２９】
自動表示情報及び手動表示情報は、制御装置１が起動装置４の状態を確認するために送信する情報であり、制御装置１は、定期的に自動表示情報及び手動表示情報を起動装置４に送信する。閉止弁表示情報は、閉止弁が閉じた状態において、制御装置１から起動装置４に通知される情報である。起動装置４は、閉止弁表示情報を受信すると、「閉止弁閉灯」を点滅させる。
【００３０】
第一種通知情報である自動切換情報、手動切換情報、起動表示情報、自動表示情報、手動表示情報、及び閉止弁閉表示情報は、１本の通信線を用いて制御装置１から起動装置４に送信される。制御装置１は、自動切換情報、手動切換情報、起動表示情報、自動表示情報、手動表示情報、及び閉止弁閉表示情報のそれぞれに対応するシリアルデータを複数の起動装置４に一斉送信する。このように、ガス消火システム１００においては、複数の第一種通知情報が１本の通信線を用いて送受信されるので、制御装置１と起動装置４との間で接続されるべき線の本数を減らすことができる。
【００３１】
制御装置１から起動装置４に自動表示情報が送信された場合、自動表示情報を受信した複数の起動装置４のうち、自動モードに設定されている起動装置４が、パルス状の応答情報を制御装置１に対して送信する。また、制御装置１から起動装置４に手動表示情報が送信された場合、手動表示情報を受信した複数の起動装置４のうち、手動モードに設定されている起動装置４が、パルス状の応答情報を制御装置１に対して送信する。制御装置１は、自動モードに設定されている起動装置４と手動モードに設定されている起動装置４とが混在していることを検出すると、自動切換情報又は手動切換情報を送信することにより、全ての起動装置４の設定モードを統一する。
【００３２】
なお、詳細については後述するが、起動装置４は、自身の設定モードが変更された後に、制御装置１から受信した第一種通知情報が自動表示情報又は手動表示情報であり、受信した第一種通知情報が示すモードが、設定が変更された後の設定モードと同一であることを条件として、応答パルス信号を送信してもよい。
【００３３】
また、制御装置１は、自動表示情報及び手動表示情報に応じて受信した応答情報の合計数が、自動表示情報及び手動表示情報を送信した対象となる区域内の起動装置４の数と一致している場合に、自動表示情報及び手動表示情報が正常に受信されたと判定してもよい。制御装置１は、例えば、自動表示情報及び手動表示情報に応じて受信した応答情報の合計数が、自動表示情報及び手動表示情報を送信した対象となる区域内の起動装置４の数と一致していない場合に、通信線に異常があると判定して、警告表示を行う。
【００３４】
従来、１本の通信線を用いて複数の装置に対してシリアルデータを送信する場合、送信先の装置のアドレスを含むシリアルデータが送信される。そして、送信元の装置は、受信した旨の通知を送信先の装置から受信することにより、正常にシリアルデータが送信されたことを確認する。
【００３５】
これに対して、本実施形態の制御装置１は、複数の起動装置４のアドレスを指定することなくシリアルデータを送信する。そして、制御装置１は、例えば、自動表示情報を含むシリアルデータを受信した起動装置４から応答パルス信号を受信したことに基づいて、自動モードに設定されている起動装置４が存在することを確認する。このようにすることで、起動装置４の設置者が、それぞれの起動装置４に対してアドレスを設定することなく、制御装置１が、起動装置４の設定モードを確認できる。
【００３６】
［制御装置１の構成］
以下、図１を参照しながら、制御部１１の詳細な構成及び動作について説明する。
制御装置１は、制御部１１と、操作部１２と、表示部１３と、地区回路１４（１４−１〜１４−ｎ、ｎは自然数）と、マスター通信部１５（１５−１〜１５−ｎ、ｎは自然数）と、放出回路１６（１６−１〜１６−ｎ、ｎは自然数）とを有する。
【００３７】
制御部１１は、例えばＣＰＵ（Central Processing Unit）、ＲＯＭ（Read Only Memory）及びＲＡＭ（Random Access Memory）を有している。ＣＰＵは、ＲＯＭに格納されたプログラムを実行することにより、制御装置１の各部を制御する。例えば、制御部１１は、地区回路１４から火災検知情報の通知を受けると、火災検知情報を通知した地区回路１４に対応する区域を表示部１３に表示する。また、制御部１１は、消火用ガスの放出モードが自動モードに設定されている状態で火災検知情報の通知を受けると、火災検知情報の通知を受けてから所定の放出遅延時間が経過した後に、放出回路１６に指示をして消火用のガスを放出させる。
【００３８】
また、制御部１１は、起動装置４に対して送信する情報を生成し、生成した情報をマスター通信部１５に入力する。また、制御部１１は、起動装置４が送信したシリアルデータに含まれる情報をマスター通信部１５から受信し、受信した情報に基づいて各種の処理を実行する。
【００３９】
操作部１２は、ユーザが各種の設定を行うための操作用デバイスである。操作部１２は、例えば、スイッチ、ボタン又はタッチパネルにより構成される。また、操作部１２は、通話用のハンドセットを含んでいる。
表示部１３は、各種の情報を表示するためのディスプレイ及び光源を有するパネルである。表示部１３は、各起動装置４の動作モード及び動作状態等を表示する。
【００４０】
地区回路１４は、火災の発生を検知する区域ごとに設けられている。地区回路１４は、対応する区域内に設置された複数の火災感知器２のいずれかが火災の発生を検知した情報を受信する。地区回路１４は、対応する区域内に設置された火災感知器２から火災の発生を示す火災検知情報を受信した場合に、火災検知情報を制御部１１に通知する。
【００４１】
マスター通信部１５は、消火用のガスを放出する区域ごとに設けられている。マスター通信部１５は、起動装置４との間で各種の情報を送受信するための通信インターフェースである。マスター通信部１５は、図２に示した７本の信号線に接続されている。マスター通信部１５は、扉開信号線、起動信号線及び緊急停止信号線の電圧を監視し、電圧の変化があったことに基づいて、第二種通知情報を受信する。マスター通信部１５は、受信した第二種通知情報を制御部１１に通知する。
【００４２】
また、マスター通信部１５は、通信線を介して送信する情報の入力を制御部１１から受けると、入力された情報を含むシリアルデータを生成し、１ビットずつ順次送信する。なお、マスター通信部１５は、電話線を介して受信した信号を、操作部１２に設けられている通話用のハンドセットに対して出力する。
【００４３】
放出回路１６は、消火用のガスを放出する区域ごとに設けられている。放出回路１６は、制御部１１の指示に基づいて、ガス放出装置５を制御するガス放出信号を出力する。
【００４４】
［起動装置４の構成］
図３は、起動装置４の構成を示す図である。起動装置４は、制御部４１と、操作部４２と、表示部４３と、スレーブ通信部４４とを有する。
【００４５】
制御部４１は、例えばＣＰＵ、ＲＯＭ及びＲＡＭを含み、起動装置４の各部を制御する。
操作部４２は、ユーザの操作を受け付ける操作パネルであり、例えば、起動ボタン、緊急停止ボタン及び自動モードと手動モードとを切り換えるためのスイッチを含んでいる。
【００４６】
表示部４３は、ユーザに通知する情報を表示するためのデバイスである。表示部４３は、液晶ディスプレイ又は発光素子を含んでいる。表示部４３は、例えば、自動モードに設定されているか手動モードに設定されているかを示すランプを有する。また、表示部４３は、スレーブ通信部４４が制御装置１から起動信号を受信した後に、制御装置１から順次送られてくる放出遅延時間の残り時間に基づいて、秒単位でカウントダウン表示する。
【００４７】
スレーブ通信部４４は、制御装置１との間で各種の情報を送受信するための通信インターフェースである。スレーブ通信部４４は、マスター通信部１５と同様に、７本の信号線に接続されている。スレーブ通信部４４は、扉が開いたことの通知を制御部４１から受けると、扉開信号線の電圧を所定の電圧（例えば０Ｖ）に変化させることで、扉が開いたことをマスター通信部１５に通知する。
【００４８】
スレーブ通信部４４は、操作部４２の起動ボタンが押されたことの通知を制御部４１から受けると、起動信号線の電圧を所定の電圧に変化させることで、起動操作が行われたことをマスター通信部１５に通知する。また、スレーブ通信部４４は、操作部４２の緊急停止ボタンが押されたことの通知を制御部４１から受けると、緊急停止信号線の電圧を所定の電圧に変化させることで、緊急停止操作が行われたことをマスター通信部１５に通知する。
【００４９】
また、スレーブ通信部４４は、制御装置１から受信したシリアルデータを所定のビットごとにパラレルデータに変換してシリアルデータに含まれていた情報を抽出し、抽出した情報を制御部４１に通知する。
【００５０】
スレーブ通信部４４は、マスター通信部１５から、自装置の設定モードに対応する自動表示情報又は手動表示情報を受信すると、自装置の自動モード又は手動モードと一致した場合、応答パルス信号を、通信線を介してマスター通信部１５に送信する。応答パルス信号は、所定幅の信号であるが、応答パルス信号の態様は任意であり、複数のパルスから構成されていてもよい。
【００５１】
なお、スレーブ通信部４４は、自身の設定モードの状態が変化した後に、マスター通信部１５から受信した自動表示情報又は手動表示情報が、変化後の設定モードと同一であることを条件として、応答パルス信号を送信してもよい。具体的には、スレーブ通信部４４は、自動表示情報を受信した場合に、自動表示情報を受信する前に自動モードに切り替える操作が行われていたか否かを判定し、自動モードに切り替える操作が行われていたと判定したことを条件として、応答パルス信号を送信する。同様に、スレーブ通信部４４は、手動表示情報を受信した場合に、手動表示情報を受信する前に手動モードに切り替える操作が行われていたか否かを判定し、手動モードに切り替える操作が行われていたと判定したことを条件として、応答パルス信号を送信する。このようにすることで、制御装置１は、起動装置４で設定モードが変更されたことを容易に検出することができる。
【００５２】
スレーブ通信部４４は、複数の起動装置４のスレーブ通信部４４から同時に応答パルス信号を送信しないようにするために、第一種通知情報を含むシリアルデータを受信してからランダムな時間が経過した後に応答パルス信号を送信してもよい。例えば、制御部４１は、シリアルデータを受信したことの通知をスレーブ通信部４４から受けると、乱数発生器により乱数を発生し、発生した乱数をスレーブ通信部４４に通知する。スレーブ通信部４４は、制御部４１から受け取った乱数に対応する時間が経過するまで待機した後に応答パルス信号を送信する。
【００５３】
［通信シーケンスの一例］
図４は、制御装置１と複数の起動装置４（起動装置４−１、４−２、４−３）との間の通信シーケンスを示す図である。図４は、起動装置４−１、４−２、４−３が自動モードに設定されている状態での通信シーケンスを示している。
【００５４】
制御部１１は、定期的に自動表示情報を生成し、生成した自動表示情報をマスター通信部１５−１に入力する。マスター通信部１５−１は、自動表示情報をシリアルデータに変換し、シリアルデータを起動装置４に送信する。
【００５５】
複数の起動装置４それぞれのスレーブ通信部４４は、自動表示情報を含むシリアルデータを受信する。複数の起動装置４のスレーブ通信部４４は、受信した自動表示情報が、自身が設定されているモードである自動モードに対応していると判定し、応答パルス信号を送信する。複数の起動装置４のスレーブ通信部４４は、例えば、自動表示情報を受信してからそれぞれランダムな時間を待機した後に応答パルス信号を送信する。
【００５６】
制御部１１は、自動表示情報をマスター通信部１５−１に送信させてから所定の時間が経過すると、手動表示情報を生成し、生成した手動表示情報をマスター通信部１５−１に入力する。マスター通信部１５−１は、手動表示情報をシリアルデータに変換し、シリアルデータを起動装置４に送信する。
【００５７】
複数の起動装置４それぞれのスレーブ通信部４４は、手動表示情報を含むシリアルデータを受信する。複数の起動装置４のスレーブ通信部４４は、受信した手動表示情報が、自身が設定されているモードである自動モードに対応していないと判定し、応答パルス信号を送信しない。
【００５８】
マスター通信部１５−１は、応答パルス信号を受信すると、受信した応答パルス信号の数を制御部１１に通知する。制御部１１は、マスター通信部１５−１が異なる種類の複数の第一種通知情報を送信してから所定の時間以内に複数の第一種通知情報に応じて受信した前記応答パルス信号の合計数が、一以上の起動装置４の数と一致した場合に、第一種通知情報が正常に送信できたと判定する判定部として機能する。
【００５９】
制御部１１は、例えば、予めメモリ（例えばＥＥＰＲＯＭ）に記憶しておいた、各区域に設置されている起動装置４の台数を示す情報を参照し、第一種通知情報の一例である自動表示情報を送信したことに応じてマスター通信部１５−１が受信した応答パルス信号の数と、第一種通知情報の一例である手動表示情報を送信したことに応じてマスター通信部１５−１が受信した応答パルス信号の数との合計数が、マスター通信部１５−１に対応する区域に設置されている起動装置４の数と一致するか否かを判定する。
【００６０】
制御部１１は、マスター通信部１５−１が自動表示情報を送信してから所定の時間以内に受信した、マスター通信部１５−１に対応する区域に設置されている起動装置４から受信した応答パルス信号の数と、マスター通信部１５−１が手動表示情報を送信してから所定の時間以内に受信した、マスター通信部１５−１に対応する区域に設置されている起動装置４から受信した応答パルス信号の数との合計数が、起動装置４の数と一致した場合に、自動表示情報が正常に送信できたと判定する。
【００６１】
制御部１１は、応答パルス信号の合計数と区域に設置された起動装置４の数とが一致しない場合、自動表示情報又は手動表示情報が正常に送信されなかったと判定して、エラー処理を行う。制御部１１は、エラー処理として、シリアルデータを再送してもよく、エラーが発生したことを表示部１３において警告表示してもよい。このようにすることで、制御部１１は、複数の通知情報が正しく送信できなかった場合に、エラーが発生したことをユーザに通知することができる。
【００６２】
図５は、複数の起動装置４の設定モードが一致していない場合の制御装置１と複数の起動装置４との間の通信シーケンスを示す図である。図５は、図４に示した状態から、起動装置４−２が手動モードに切り換えられた後の状態における通信シーケンスである。
【００６３】
制御装置１のマスター通信部１５−１が自動表示情報を送信すると、起動装置４−１及び起動装置４−３は応答パルス信号を送信するが、起動装置４−２は、応答パルス信号を送信しない。続いて、制御装置１のマスター通信部１５−１が手動表示情報を送信すると、起動装置４−１及び起動装置４−３は応答パルス信号を送信せず、起動装置４−２は、応答パルス信号を送信する。
【００６４】
制御部１１は、複数の異なる設定モードに対応する複数の第一種通知情報のそれぞれに対して、複数の起動装置４から応答パルス信号を受信した場合に、複数の起動装置４が異なる設定モードに設定されており、設定モードが統一されていないと判定する。図５に示す例の場合、制御部１１は、自動表示情報及び手動表示情報の両方に対して応答パルス信号を受信したことから、複数の起動装置４の設定モードが統一されていないと判定する。そして、制御部１１は、直前に複数の起動装置４の設定モードが一致していた状態における設定モードと異なる設定モードが最新の設定モードであると判定する。図５の例において、制御部１１は、自動モードから手動モードに切り換えられたと判定する。
【００６５】
制御部１１は、複数の起動装置４の設定モードが統一されていないと判定した場合、複数の起動装置４の設定モードを複数の設定モードのいずれか一つに設定されるための第一種通知情報を複数の起動装置４に送信する。例えば、制御部１１は、全ての起動装置４を最新の設定モードにするべく、自動切換情報又は手動切換情報を複数の起動装置４に送信する。図５の例において、制御部１１は、手動切換情報を送信する。起動装置４−１及び起動装置４−３は、手動切換情報を受信すると、自動モードから手動モードに切り換える。これにより、全ての起動装置４が手動モードに設定された状態になる。なお、制御部１１は、複数の起動装置４の設定モードが統一されていないと判定した場合、制御装置１又は起動装置４に警告表示をさせるようにしてもよい。
【００６６】
また、制御部１１は、操作部１２において入力された設定モードが全ての起動装置４の設定モードと異なっている場合、操作部１２において入力された設定モードに対応する切換情報を送信する。例えば、制御部１１は、全ての起動装置４の設定モードが自動モードである状態で、操作部１２において手動モードに切り換える操作が行われると、全ての起動装置４に対して手動切換情報を送信する。
【００６７】
以上のように、制御装置１は、全ての起動装置４の設定モードを確認するための自動表示情報及び手動表示情報を送信し、自動表示情報及び手動表示情報のどれに対して応答パルス信号を受信したかに基づいて、全ての起動装置４の設定モードの状態を特定する。そして、制御装置１は、全ての起動装置４の設定モードが同一でない場合、自動切換情報又は手動切換情報を送信することで、制御装置１及び全ての起動装置４の設定モードを同じ状態にすることができる。
【００６８】
［本実施形態のガス消火システム１００による効果］
以上説明したように、ガス消火システム１００におけるマスター通信部１５は、複数の起動装置４それぞれのアドレスを含まない各種の情報を含むシリアルデータを、一つの通信線を介して複数の起動装置４に送信する。そして、複数の起動装置４のそれぞれは、データパケットを受信したことに応じて、応答パルス信号を制御装置１に送信する。このようにすることで、制御装置１と複数の起動装置４との間の信号線の本数を削減した場合であっても、起動装置４にアドレスを設定する必要がないので、作業の簡易化、効率化が図れ、更に起動装置４へのアドレス設定ミスに伴うエラーが発生しないという効果を奏する。
【００６９】
（変形例）
以上の説明においては、制御装置１が通信線によりデータパケットを送信した場合、制御装置１は、一つの区域に設置されている起動装置４の数に相当する数の応答パルス信号を受信したことにより、データパケットが正常に送信されたと判定した。しかし、制御装置１は、少なくとも一つの応答パルス信号を受信したことにより、データパケットが正常に送信されたと判定してもよい。
【００７０】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【００７１】
例えば、上記の説明においては、第二種通知情報が、起動装置４から制御装置１に通知される例を示したが、制御装置１が信号線の電圧を変化させることにより、第二種通知情報を起動装置４に通知してもよい。また、以上の説明においては、消火剤としてガスを用いるガス消火システム１００を例示したが、本発明は、ガス以外の消火剤を用いる消火システムに適用することができる。
【符号の説明】
【００７２】
１  制御装置
２  火災感知器
３  終端回路
４  起動装置
５  ガス放出装置
１１  制御部
１２  操作部
１３  表示部
１４  地区回路
１５  マスター通信部
１６  放出回路
４１  制御部
４２  操作部
４３  表示部
４４  スレーブ通信部
１００  ガス消火システム
【図１】
2018164652.tif 000003
【図２】
2018164652.tif 000004
【図３】
2018164652.tif 000005
【図４】
2018164652.tif 000006
【図５】
2018164652.tif 000007